(57)【要約】【課題】端末で表示する情報のそれぞれについて、その情報の内容を把握するための十分な時間を与え、しかも、できるだけ多くの情報を提供することの可能な端末、システム、方法及びプログラムを提供する。【解決手段】端末３は、サーバ２から配信される情報を受信する情報受信部３１と、この受信に応じて受信した順にスクロールしながら新しい情報を追加して表示する情報表示部３３との他、情報の表現態様に応じた表示保証時間が予め記憶される表示保証時間データベース４２と、情報表示部３３で表示する情報をスクロールする表示情報スクロール部３２とを備え、表示情報スクロール部３２は、情報の表示を開始してから表示保証時間が経過するまでの間に情報受信部３１がさらに情報を受信した場合であっても、表示保証時間が経過するまでは情報のスクロールを行わず、表示保証時間が経過してから当該情報をスクロールして次に受信した情報を追加して表示する。【選択図】図１
2011215863.tif 000002
【特許請求の範囲】
【請求項１】
サーバから配信される情報を受信する情報受信手段と、この受信に応じて前記情報を前記受信の順にスクロールしながら新しい情報を追加して表示する情報表示手段とを備える端末であって、
前記情報の表現態様に応じた表示保証時間が予め記憶される表示保証時間記憶手段と、
前記情報表示手段で表示する情報をスクロールする表示情報スクロール手段とをさらに備え、
前記表示情報スクロール手段は、前記情報の表示を開始してから、当該情報に応じた表示保証時間が経過するまでの間に前記情報受信手段がさらに情報を受信した場合に、前記表示保証時間が経過するまでは情報のスクロールを行わず、前記表示保証時間が経過してから前記情報をスクロールして次に受信した情報を追加して表示する端末。
【請求項２】
情報を配信するサーバと、このサーバから配信される情報を表示する端末とを備えるシステムであって、
前記端末は、
前記サーバから配信される情報を受信する情報受信手段と、
該受信に応じて前記情報を前記受信の順にスクロールしながら新しい情報を追加して表示する情報表示手段と、
前記情報の表現態様に応じた表示保証時間が予め記憶される表示保証時間記憶手段と、
前記情報表示手段で表示する情報をスクロールする表示情報スクロール手段とを有し、
前記表示情報スクロール手段は、前記情報の表示を開始してから、当該情報に応じた表示保証時間が経過するまでの間に前記情報受信手段がさらに情報を受信した場合に、前記表示保証時間が経過するまでは情報のスクロールを行わず、前記表示保証時間が経過してから前記情報をスクロールして次に受信した情報を追加して表示するシステム。
【請求項３】
サーバから配信される情報を端末に表示する方法であって、
前記端末は、
前記サーバから配信された情報を受信する情報受信工程と、
この受信に応じて前記情報を前記受信の順にスクロールしながら新しい情報を追加して表示する情報表示工程と、
前記情報の表示を開始してから、当該情報の表現態様に応じた表示保証時間が経過するまでの間に前記サーバからさらに情報を受信した場合に、前記表示保証時間が経過するまでは情報のスクロール行わず、前記表示保証時間が経過してから前記情報をスクロールして次に受信した情報を追加して表示する表示情報スクロール工程とを含む方法。
【請求項４】
サーバから配信される情報を端末に表示させるためのプログラムであって、
前記サーバから配信された情報を受信する情報受信工程と、
この受信に応じて前記情報を前記受信の順にスクロールしながら新しい情報を追加して表示する情報表示工程と、
前記情報の表示を開始してから、当該情報の表現態様に応じた表示保証時間が経過するまでの間に前記サーバからさらに情報を受信した場合に、前記表示保証時間が経過するまでは情報のスクロールを行わず、前記表示保証時間が経過してから前記情報をスクロールして次に受信した情報を追加して表示する表示情報スクロール工程とを前記端末に実行させるためのプログラム。
【発明の詳細な説明】
【技術分野】
【０００１】
本発明は、情報を表示する端末、システム、方法及びプログラムに関する。
【背景技術】
【０００２】
近年では、ＴＷＩＴＴＥＲ（登録商標）等のサービスが急速に普及している（例えば、非特許文献１参照）。ＴＷＩＴＴＥＲは、単にユーザがつぶやいた独り言の文字列等を通信ネットワークを介して受信して公衆に閲覧可能に記憶するだけのものであるが、所定のユーザのつぶやきを更新のつど閲覧したり（フォロー）、あるユーザのつぶやきに対して他のユーザがそれを引用して自らのつぶやきとしたり（リツイート）、所定のユーザのつぶやきに自らのコメントを追加して投稿したり（クオートツイート）することもできる。このように、さまざまな形態での応答が発展することにより、あたかも大勢で会話しているような感覚を与えることができる。
【０００３】
また、ＴＷＩＴＴＥＲの魅力として、速報性の高さも挙げられる。例えば、どこかで地震が起こると、「地震だ！」というつぶやきが次々に投稿され、このつぶやきに対し、フォロー、リツイート、クオートツイートが次々に行われる。その結果、地震が発生したことの情報をテレビのニュースやインターネットのニュースサイトよりも早く提供できる場合がある。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
しかし、既存の技術では、サーバから配信される情報を、配信された順に順次表示する。そのため、複数の情報が短時間に多数配信されると、現在表示している情報を十分に確認できないまま、次の情報に切り替わってしまう可能性がある。
【０００６】
本発明は、端末で表示する情報のそれぞれについて、その情報の内容を把握するための十分な時間を与え、しかも、できるだけ多くの情報を提供することの可能な端末、システム、方法及びプログラムを提供することを目的とする。
【課題を解決するための手段】
【０００７】
本発明では、以下のような解決手段を提供する。
【０００８】
（１）  サーバから配信される情報を受信する情報受信手段と、この受信に応じて前記情報を前記受信の順にスクロールしながら新しい情報を追加して表示する情報表示手段とを備える端末であって、前記情報の表現態様に応じた表示保証時間が予め記憶される表示保証時間記憶手段と、前記情報表示手段で表示する情報をスクロールする表示情報スクロール手段とをさらに備え、前記表示情報スクロール手段は、前記情報の表示を開始してから前記表示保証時間が経過するまでの間に前記情報受信手段がさらに情報を受信した場合に、前記表示保証時間が経過するまでは情報のスクロールを行わず、前記表示保証時間が経過してから前記情報をスクロールして次に受信した情報を追加して表示する端末。
【０００９】
（１）に記載の発明によれば、表示保証時間記憶手段には、サーバから配信される情報の表現態様に応じた表示保証時間が予め記憶され、情報表示手段で表示する情報をスクロールする表示情報スクロール手段は、情報の表示を開始してから表示保証時間が経過するまでの間にさらに情報を受信した場合であっても、表示保証時間が経過するまでは情報のスクロールを行わず、表示保証時間が経過してから情報をスクロールして次に受信した情報を追加して表示する。これにより、ユーザに対して、情報表示手段が表示する情報のそれぞれについて、その情報の内容を把握するための十分な時間を与えることができる。
また、表示保証時間記憶手段には、一律の表示保証時間でなく、サーバから配信された情報の表現態様に応じて表示保証時間が記憶されていることから、短時間で内容を把握できる表示態様に係る情報であるにもかかわらず、長時間情報がスクロールされないといったことや、内容を把握するのに長時間必要な表示態様に係る情報であるにも関わらず、短時間で次の情報にスクロールされてしまうことを防ぐことができる。これにより、無駄な時間を減らし、できるだけ多くの情報を提供することができる。
以上から、（１）に記載の発明によれば、情報表示手段が表示する情報のそれぞれについて、その情報の内容を把握するための十分な時間を与え、しかも、できるだけ多くの情報を提供することの可能な端末を提供することができる。
【００１０】
（２）  情報を配信するサーバと、このサーバから配信される情報を表示する端末とを備えるシステムであって、前記端末は、前記サーバから配信される情報を受信する情報受信手段と、該受信に応じて前記情報を前記受信の順にスクロールしながら新しい情報を追加して表示する情報表示手段と、前記情報の表現態様に応じた表示保証時間が予め記憶される表示保証時間記憶手段と、前記情報表示手段で表示する情報をスクロールする表示情報スクロール手段とを有し、前記表示情報スクロール手段は、前記情報の表示を開始してから、当該情報に応じた表示保証時間が経過するまでの間に前記情報受信手段がさらに情報を受信した場合に、前記表示保証時間が経過するまでは情報のスクロールを行わず、前記表示保証時間が経過してから前記情報をスクロールして次に受信した情報を追加して表示するシステム。
【００１１】
（３）  サーバから配信される情報を端末に表示する方法であって、前記端末は、前記サーバから配信された情報を受信する情報受信工程と、この受信に応じて前記情報を前記受信の順にスクロールしながら新しい情報を追加して表示する情報表示工程と、前記情報の表示を開始してから、当該情報の表現態様に応じた表示保証時間が経過するまでの間に前記サーバからさらに情報を受信した場合に、前記表示保証時間が経過するまでは情報のスクロールを行わず、前記表示保証時間が経過してから前記情報をスクロールして次に受信した情報を追加して表示する表示情報スクロール工程とを含む方法。
【００１２】
（４）  サーバから配信される情報を端末に表示させるためのプログラムであって、前記サーバから配信された情報を受信する情報受信工程と、この受信に応じて前記情報を前記受信の順にスクロールしながら新しい情報を追加して表示する情報表示工程と、前記情報の表示を開始してから、当該情報の表現態様に応じた表示保証時間が経過するまでの間に前記サーバからさらに情報を受信した場合に、前記表示保証時間が経過するまでは情報のスクロールを行わず、前記表示保証時間が経過してから前記情報をスクロールして次に受信した情報を追加して表示する表示情報スクロール工程とを前記端末に実行させるためのプログラム。
【００１３】
（２）に記載のシステムによれば、当該システムに係る発明を実施することにより、（１）と同様の効果が期待できる。（３）に記載の方法によれば、当該方法に係る発明を実施することにより、（１）と同様の効果が期待できる。また、（４）記載のプログラムによれば、当該プログラムに係る発明を実施することにより、（１）と同様の効果が期待できる。
【発明の効果】
【００１４】
本発明によれば、端末で表示する情報のそれぞれについて、その情報の内容を把握するための十分な時間を与え、しかも、できるだけ多くの情報を提供することの可能な端末、システム、方法及びプログラムを提供できる。
【図面の簡単な説明】
【００１５】
【図１】本発明の第１実施形態に係るシステム１を説明するための全体構成を示す図である。
【図２】第１実施形態に係る受信情報データベース４１を示す図である。
【図３】第１実施形態に係る表示保証時間データベース４２を示す図である。
【図４】第１実施形態に係る端末３のフローチャートである。
【図５】端末３が図２の例にしたがって情報を受信したときの時刻と表示内容との関係の一例を示す図である。
【図６】端末３が図２の例にしたがって情報を受信したときの端末３の画面５０での表示例を示す図である。
【図７】本発明の第２実施形態に係るシステム１を説明するための全体構成を示す図である。
【図８】第２実施形態に係る表示優先順位データベース１４３を示す図である。
【図９】第２実施形態に係る受信情報データベース１４１を示す図である。
【図１０】第２実施形態に係る端末１０３のフローチャートである。
【図１１】端末３が図９の例にしたがって情報を受信したときであって、縮減操作を行わないときの時刻と表示内容との関係の一例を示す図である。
【図１２】端末３が図９の例にしたがって情報を受信したときであって、所定のタイミングで縮減操作を行ったときの時刻と表示内容との関係の一例を示す図である。
【図１３】本発明の第３実施形態に係るシステム１を説明するための全体構成を示す図である。
【図１４】第３実施形態に係る表示優先順位データベース２４３を示す図である。
【図１５】第３実施形態に係る受信情報データベース２４１を示す図である。
【図１６】第３実施形態に係る端末３のフローチャートである。
【図１７】端末３が図１５の例にしたがって情報を受信したときの時刻と表示内容との関係の一例を示す図である。
【発明を実施するための形態】
【００１６】
［第１実施形態］
以下、本発明の第１実施形態について図を参照しながら説明する。
【００１７】
［全体構成］
図１は、第１実施形態に係るシステム１及び端末３を説明するための全体構成を示す図である。システム１は、情報を配信するサーバ２と、このサーバ２とネットワークを介して接続され、サーバ２から配信される情報を、受信した順に配列して表示する端末３とを備える。端末３の種類は、どのようなものであってもよく、パーソナルコンピュータであってもよいし、携帯端末であってもよい。また、店舗又は交通機関の駅構内若しくは車内等に設置されるデジタルサイネージであってもよい。
【００１８】
まず、サーバ２の構成について説明する。サーバ２は、制御部１０を備える。制御部１０は、サーバ２に係る各機能を統括的に制御する部分であり、端末３に情報を配信する情報配信部１１を備える。この情報配信部１１は、情報配信手段として機能する。
【００１９】
続いて、端末３の構成について説明する。端末３は、制御部３０と、記憶部４０とを備える。制御部３０は、情報配信部１１から配信された情報を受信する情報受信部３１を備える。そして、記憶部２０は、情報受信部３１が受信した情報を記憶する受信情報データベース４１を備える。上記情報受信部３１と、受信情報データベース４１とは、情報受信手段として機能する。
【００２０】
受信情報データベース４１は、情報受信部３１が受信した情報を記憶するデータベースであり、図２に例示される。受信情報データベース４１は、情報を受信した時刻を示す「受信時刻」フィールドと、受信した情報の表現態様を示す「表現態様」フィールドと、受信した情報の内容を示す「内容」フィールドとを有する。
【００２１】
図１に戻り、制御部３０は、情報受信部３１が受信した情報を、受信した順にスクロールしながら新しい情報を追加して表示する表示情報スクロール部３２を備える。この表示情報スクロール部３２は、表示情報スクロール手段として機能する。また、制御部３０は、表示情報スクロール部３２によってスクロールされた情報を表示する情報表示部３３を備える。この情報表示部３３は、情報表示手段として機能する。
【００２２】
ところで、記憶部４０は、情報受信部３１が受信した情報の表現態様に応じた表示保証時間が予め記憶される表示保証時間データベース４２を備える。この表示保証時間データベース４２は、表示保証時間記憶手段として機能する。
【００２３】
表示保証時間データベース４２は、図３に例示される。表示保証時間データベース４２は、情報受信部３１が受信した情報の表現態様を示す「表現態様」フィールドと、この「表現態様」フィールドに記憶された表現態様である場合の表示保証時間を示す「表示保証時間」フィールドとを有する。本実施形態では、情報受信部３１が受信した情報の表現態様が３０文字未満のテキストである場合、表示保証時間は２０秒であり、３０文字以上のテキストである場合、表示保証時間は文字数×０．７秒である。また、情報受信部３１が受信した情報の表現態様が静止画像である場合、表示保証時間は２５秒であり、動画である場合、表示保証時間は３０秒である。
【００２４】
そして、上記表示情報スクロール部３２は、情報表示部３３で情報の表示を開始してから、当該情報に応じた表示保証時間が経過するまでの間に情報受信部３１がさらに情報を受信した場合であっても、表示保証時間が経過するまでは情報のスクロールを行わず、表示保証時間が経過してから情報をスクロールして次に受信した情報にを追加して表示する。例えば、図２に示す例において、表示情報スクロール部３２は、２０１０年３月２９日１７時３５分３０秒に「今日から「北の大地と」が始まる。」という静止画像付きの情報（以下、「情報２」という。）を受信し、１２秒後の同４２秒に更に「○○ラーメンの画像を見つけました。」という３分動画付きの情報（以下、「情報３」という。）を受信しているが、情報２の表示を開始してから「静止画像」の表示保証時間である２５秒が経過するまでの間にさらに情報３を受信した場合であっても、表示保証時間である２５秒が経過するまでは情報２のスクロールを行わず、表示保証時間が経過してから情報２をスクロールして情報３を追加して表示する。
【００２５】
［第１実施形態のハードウェア及びソフトウェアの構成］
第１実施形態のハードウェア及びソフトウェアの構成について説明する。サーバ２及び端末３のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００２６】
サーバ２及び端末３のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００２７】
［フローチャート］
図４は、第１実施形態に係る端末３のフローチャートである。
【００２８】
ステップＳ１では、情報受信部３１は、サーバ２の情報配信部１１から配信された情報を受信する。ステップＳ２では、情報表示部３３は、情報受信部３１が受信した情報の表示を行う。
【００２９】
ステップＳ３では、制御部３０は、表示保証時間データベース４２で定めた表示保証時間が経過したか否かを判別する。この判別がＹＥＳのときは、制御部３０は、処理をステップＳ４に移し、ＮＯのときは、ステップＳ３の処理を繰り返す。
【００３０】
ステップＳ４では、制御部３０は、情報受信部３１が情報を受信したか否かを判別する。本実施形態では、情報受信部３１は、情報表示部３３での表示とは非同期に、サーバ２にデータを要求するポーリング処理を行うものであり、情報表示部３３での表示と同期する処理、すなわち、サーバ２に対して情報の配信を要求し、サーバ２から情報を受信し、その受信した情報を表示するといった処理を繰り返すものではない。この判別がＹＥＳのときは、制御部３０は、処理をステップＳ５に移し、ＮＯのときは、制御部３０は、処理をステップＳ６に移す。
【００３１】
ステップＳ５では、表示情報スクロール部３２は、表示中の情報をスクロールして次の情報（すなわち、未だ情報表示部３３で表示していない情報のうち受信時刻がより古い情報）を追加して表示し、処理をステップＳ３に移す。一方、ステップＳ６では、情報表示部３３は、引き続き現在の情報を表示する。
【００３２】
ステップＳ７では、制御部３０は、一連の処理を終了するか否かを判別する。この判別がＹＥＳのときは、制御部３０は、一連の処理を終了し、ＮＯのときは、処理をステップＳ４に移す。
【００３３】
［第１実施形態に係るシステム１の実施例］
図５は、第１実施形態に係るシステム１、端末３、方法及びプログラムを実施したときの時刻と表示内容との関係の一例を示す図である。
【００３４】
ここでは、現在の時刻が２０１０年３月２９日１７時３４分１５秒であり、この時刻において端末３が「日経平均株価が○○円に回復する勢いです。」という２０文字テキストの情報（以下「情報１」という。）を受信し、この情報１の表示を端末３で開始することを基準に説明する。図２によると、情報１の表現態様は「２０文字テキスト」であり、図３の表示保証時間データベース４２によると、表現態様が「３０文字未満テキスト」であるときの表示保証時間は「２０秒」である。そこで、情報表示部３３は、１７時３４分１５秒に受信した情報１を、少なくとも１７時３４分１５秒から２０秒間（すなわち、同３５秒まで）表示する。
【００３５】
続いて、時刻が１７時３４分４５秒から２０秒間経過したときについて説明する。制御部３０は、情報１の表示を開始した１７時３４分１５秒から２０秒間の間は、何ら情報を受信せず、その後、１７時３５分３０秒になったときに初めて「今日から「北の大地と」が始まる。」という静止画像付きの情報（以下「情報２」という。）を受信する。この場合、情報表示部３３は、最低保証時間である２０秒間が経過した後であっても、情報１を引き続き表示する。そして、１７時３５分３０秒に情報２を受信したことに応じて、表示情報スクロール部３２は、表示中の情報１をスクロールして次の情報である情報２を追加して表示する。図６の（ａ）は、このときの端末３の画面５０での表示例であり、画面５０では、情報１が画面５０の下方にスクロールされ、情報２が画面５０の上方に追加して表示されている。図２によると、情報２の表現態様は「静止画像」であり、図３の表示保証時間データベース４２によると、表現態様が「静止画像」であるときの表示保証時間は「２５秒」である。そこで、情報表示部３３は、１７時３５分３０秒に受信した情報２を、少なくとも１７時３５分３０秒から２５秒間（すなわち、同５５秒まで）表示する。
【００３６】
ところで、制御部３０は、情報２の表示を開始した１７時３５分３０秒から２５秒の間である同４２秒に「○○ラーメンの画像を見つけました。」という３分動画付きの情報（以下「情報３」という。）を受信しているが、このような場合であっても、表示情報スクロール部３２は、表示保証時間である２５秒が経過するまでは情報のスクロールを行わず、表示保証時間が経過してから表示中の情報をスクロールして次に受信した情報を追加して表示する。そのため、１７時３５分４２秒に情報３を受信していても、情報２の最低保証時間である２５秒が経過したことに応じて、表示情報スクロール部３２は、表示中の情報である情報２をスクロールし、情報表示部３３は、新たなに追加した情報３を表示する。図６の（ｂ）は、このときの端末３の画面５０での表示例であり、画面５０では、情報２が画面５０の下方にスクロールされ、情報３が画面５０の上方に追加して表示されている。図３によると、情報３の表現態様は「３分動画」であり、図３の表示保証時間データベース４２によると、表現態様が「３分動画」であるときの表示保証時間は「３０秒」である。そこで、情報表示部３３は、１７時３５分４２秒に受信した情報３を、少なくとも同５５秒から３０秒間（すなわち、１７時３６分２５秒まで）表示する。
【００３７】
この３０秒の間に、制御部３０は、「４月からはどのドラマを見ればいいのだろう？・・・」という２５０文字テキストの情報（以下「情報４」という。）及び「スカイツリーが東京タワーを超える高さになりました。」という静止画像付きの情報（以下「情報５」という。）を受信しているが、このような場合であっても、表示情報スクロール部３２は、表示保証時間である３０秒が経過するまでは情報のスクロールを行わず、表示保証時間が経過してから表示中の情報３をスクロールして次に受信した情報を追加して表示する。そのため、情報４及び情報５を受信していても、情報３の最低保証時間である３０秒が経過したことに応じて、表示情報スクロール部３２は、表示中の情報３をスクロールして次の情報である情報４を追加して表示する。そして、情報４の最低保証時間の経過を待って、表示情報スクロール部３２は、表示中の情報をスクロールして次の情報である情報５を追加して表示する。
【００３８】
本実施例によると、表示保証時間データベース４２には、サーバ２から配信される情報の表現態様に応じた表示保証時間が予め記憶され、情報表示部３３で表示する情報をスクロールする表示情報スクロール部３２は、情報の表示を開始してから表示保証時間が経過するまでの間にさらに情報を受信した場合であっても、表示保証時間が経過するまでは情報のスクロールを行わず、表示保証時間が経過してから表示中の情報をスクロールして次に受信した情報を追加して表示する。これにより、表示保証時間が経過するまでは、表示中の情報の全部又は一部が画面５０の外に切り離されてしまうことがないため、ユーザに対して、情報表示部３３が表示する情報のそれぞれについて、その情報の内容を把握するための十分な時間を与えることができる。
【００３９】
また、表示保証時間データベース４２には、一律の表示保証時間でなく、サーバ２から配信された情報の表現態様に応じて表示保証時間が記憶されていることから、短時間で内容を把握できる表示態様に係る情報であるにもかかわらず、長時間情報がスクロールされないといったことや、内容を把握するのに長時間必要な表示態様に係る情報であるにも関わらず、短時間で次の情報にスクロールされてしまうことを防ぐことができる。これにより、無駄な時間を減らし、できるだけ多くの情報を提供することができる。
【００４０】
以上から、本実施例によれば、情報表示部３３が表示する情報のそれぞれについて、その情報の内容を把握するための十分な時間を与え、しかも、できるだけ多くの情報を提供することの可能なシステム１、端末３、方法及びプログラムを提供することができる。
【００４１】
なお、本実施形態に記載された効果は、本発明から生じる最も好適な効果を列挙したに過ぎず、本発明による効果は、本実施形態に記載されたものに限定されるものではない。
【００４２】
［第２実施形態］
以下、本発明の第２実施形態について図を参照しながら説明する。
第１の実施形態は、情報表示部３３が表示する情報のそれぞれについて、その情報の内容を把握するために十分な時間を与え、しかも、できるだけ多くの情報を提供することを可能にするものであるが、表示保証時間が経過するまでの間に次の情報を受信すると、当該次の情報の表示が遅延するという問題が残る。特に、表示保証時間が経過するまでの間に受信する情報の数が増えるにつれ、遅延の幅がさらに大きくなる。第２実施形態及び後に説明する第３実施形態は、ともに、第１の実施形態が奏する作用効果を維持しつつ、しかも情報の遅延を防止することの可能なシステム１、端末３、方法及びプログラムを提供するものである。
【００４３】
［全体構成］
図７は、第２実施形態に係るシステム１及び端末３を説明するための全体構成を示す図である。説明の便宜のため、第１実施形態と同一の構成には、同じ符号を付してある。第１実施形態と対比すると、第１に、端末１０３の構成が異なる。
第２に、第２実施形態では、制御部３０に表示優先順位指定操作受付部１３４が設けられ、記憶部４０に表示優先順位データベース１４３が設けられている点で異なる。
第３に、受信情報データベース１４１の構成が異なる。
第４に、第２実施形態では、制御部３０に縮減操作受付部１３５及び増大操作受付部１３６が設けられている点で異なる。
【００４４】
まず、第１の相違点について説明する。第１実施形態の端末３は、どのような態様であってもよかったが、第２実施形態の端末１０３は、タッチパネル式でなければならない点で異なる。端末１０３は、タッチパネル式であれば、種類を問うものではない。例えば、端末１０３は、携帯端末であってもよいし、店舗や駅構内等に設置されるデジタルサイネージであってもよい。
【００４５】
次に、第２の相違点について説明する。表示優先順位指定操作受付部１３４は、端末１０３に表示する情報の表示優先順位を指定する操作を受け付け、ここで受け付けた表示優先順位の内容を表示優先順位データベース１４３に記憶する。これら表示優先順位指定操作受付部１３４及び表示優先順位データベース１４３は、表示優先順位指定操作受付手段として機能する。
【００４６】
表示優先順位データベース１４３は、図８に例示される。表示優先順位データベース１４３は、サーバ２に情報を送信した端末（図示せず）を識別するための「受信情報ＩＤ」フィールドと、この受信情報ＩＤに対応する端末からサーバ２に送信された情報を、実際に端末３で表示する優先順位を識別するための「表示優先順位」フィールドとを有する。例えば、ユーザが、優先順位を受信情報ＩＤ「Ａ」、「Ｂ」、「Ｃ」の順であると指定したときは、表示優先順位データベース１４３の受信情報ＩＤフィールドＡに対しては１が、Ｂに対しては２が、Ｃに対しては３が記憶される。
【００４７】
次に、第３の相違点について説明する。受信情報データベース１４１は、図９に例示される。第１実施形態の受信情報データベース４１は、情報を受信した時刻を示す「受信時刻」フィールドと、受信した情報の表現態様を示す「表現態様」フィールドと、受信した情報の内容を示す「内容」フィールドとを有するものであったが、第２実施形態の受信情報データベース１４１は、さらに、情報（図示せず）を識別するための「受信情報ＩＤ」フィールドを有する。
【００４８】
最後に、第４の相違点について説明する。縮減操作受付部１３５は、ユーザが情報表示部３３のタッチパネル上の二点に接触する操作を受け付け、さらに、その接触した二点間の距離であって、情報表示部３３が表示する情報の配列の方向における距離を縮める縮減操作を、情報表示部３３に表示する情報の量の縮減指示として受け付ける。この縮減操作受付部１３５は、縮減操作受付手段として機能する。
【００４９】
縮減操作受付部１３５が縮減操作を受け付けると、情報表示部３３は、縮減操作受付部１３５が操作を受け付けた場合、現在表示中の情報の表示を終えたことを受けて、表示優先順位の低い受信情報ＩＤから順に非表示にすることで情報表示部３３に表示する情報の量を縮減する。例えば、情報表示部３３が受信情報ＩＤ「Ａ」〜「Ｃ」の情報を表示する間に縮減操作受付部１３５が縮減操作を受け付けた場合、情報表示部３３は、現在表示中の情報の表示を終えたことを受けて、表示優先順位が最も低い受信情報ＩＤ「Ｃ」を非表示にすることで、情報表示部３３に表示する情報の量を縮減する。そして、縮減操作受付部１３５がさらに縮減操作を受け付けた場合、情報表示部３３は、現在表示中の情報の表示を終えたことを受けて、次に表示優先順位が低い受信情報ＩＤ「Ｂ」の情報を非表示にすることで、情報表示部３３に表示する情報の量を縮減する。
【００５０】
増大操作受付部１３６は、ユーザが情報表示部３３のタッチパネル上の二点に接触する操作を受け付け、さらに、その接触した二点間の距離であって、情報表示部３３が表示する情報の配列の方向における距離を伸ばす操作を、情報表示部３３に表示する情報の量の増大指示として受け付ける。この増大操作受付部１３６は、増大操作受付手段として機能する。
【００５１】
増大操作受付部１３６が増大操作を受け付けると、情報表示部３３は、いったん非表示にした情報であっても、表示優先順位の高い情報から順に表示することで、情報表示部３３に表示する情報の量を増大する。例えば、受信情報ＩＤ「Ｃ」の情報及び受信情報ＩＤ「Ｂ」の情報を非表示にし、いったん情報表示部３３に表示する情報の量を縮減した場合であっても、増大操作受付部１３６が縮減操作を受け付けた場合、情報表示部３３は、表示優先順位データベース１４３を参照し、非表示にした受信情報ＩＤの中で最も表示優先順位の高い受信情報ＩＤ「Ｂ」の情報を表示することで、情報表示部３３に表示する情報の量を増大する。そして、増大操作受付部１３６がさらに増大操作を受け付けた場合、情報表示部３３は、表示優先順位データベース１４３を参照し、次に表示優先順位が高い受信情報ＩＤ「Ｃ」の情報を表示することで、情報表示部３３に表示する情報の量を増大する。
【００５２】
［第２実施形態のハードウェア及びソフトウェアの構成］
第２実施形態のハードウェア及びソフトウェアの構成は、第１実施形態と同じであり、サーバ２及び端末１０３のハードウェアには、制御装置（制御部）としてのＣＰＵの他、記憶装置（記憶部）、通信装置（通信部）、表示装置（表示部）及び入力装置（入力部）が含まれる。また、サーバ２及び端末１０３のソフトウェアには、上記ハードウェアを制御するプログラムやデータが含まれる。
【００５３】
［フローチャート］
図１０は、第２実施形態に係る端末１０３のフローチャートである。
【００５４】
ステップＳ１０１では、表示優先順位指定操作受付部１３４は、情報表示部３３に表示する情報の表示優先順位を指定する操作を受け付ける。この処理で受け付けた内容は、表示優先順位データベース１４３に記憶される。例えば、図８で例示したように、ユーザが、受信情報ＩＤ「Ａ」を優先順位「１」と指定し、受信情報ＩＤ「Ｂ」を優先順位「２」と指定し、受信情報ＩＤ「Ｃ」を優先順位「３」と指定する場合、表示優先順位指定操作受付部１３４は、この指定の操作を受け付け、表示優先順位データベース１４３に記憶させる。
【００５５】
例えば、端末１０３のユーザが企業等の組織に所属している場合には、所属する企業等の組織が配信する情報の受信情報ＩＤを優先順位「１」にし、業界紙の配信元の受信情報ＩＤ、一般ニュースの配信元の受信情報ＩＤ、趣味や芸能ニュースの配信元の受信情報ＩＤ、・・・といった順番で表示優先順位を指定することが考えられる。また、例えば、端末１０３のユーザが学生であるならば、所属する学校や学部が配信する情報の受信情報ＩＤ（オフィシャルＩＤ）を優先順位「１」にし、履修中のクラスの担当教授が配信する情報の受信情報ＩＤや自身が所属するゼミが配信する情報の受信情報ＩＤ、自身が所属するサークルが配信する情報の受信情報ＩＤ、・・・といった順番で表示優先順位を指定することが考えられる。また、ユーザの属性にかかわらず、地震速報や災害情報を流す「気象庁」や「自治体」の配信する情報の受信情報ＩＤを最上位の優先順位にしておくことも考えられる。
【００５６】
ステップＳ１０２では、情報受信部３１は、サーバ２の情報配信部１１から配信された情報を受信する。ステップＳ１０３では、情報表示部３３は、情報受信部３１が受信した情報の表示を行う。
【００５７】
ステップＳ１０４では、制御部３０は、表示保証時間データベース４２で定めた表示保証時間が経過したか否かを判別する。この判別がＹＥＳのときは、制御部３０は、処理をステップＳ１０５に移し、ＮＯのときは、処理をステップＳ１０４の処理を繰り返す。
【００５８】
ステップＳ１０５では、情報表示部３３で情報を表示している間に、縮減操作受付部１３５が縮減操作を受け付けたか否かを判別する。この処理では、縮減操作受付部１３５が、ユーザが情報表示部３３のタッチパネル上の二点に接触する操作を受け付け、さらに、その接触した二点間の距離であって、情報表示部３３が表示する情報の配列の方向における距離を縮める操作を受け付けたか否かを判別する。この判別がＹＥＳのときは、縮減操作受付部１３５は、処理をステップＳ１０６に移し、ＮＯのときは、縮減操作受付部１３５は、処理をステップＳ１０７に移す。ステップＳ１０６では、情報表示部３３は、表示優先順位の低い受信情報ＩＤから順に非表示にすることで、情報表示部３３に表示する情報の量を縮減する。
【００５９】
ステップＳ１０７では、増大操作受付部１３６が増大操作を受け付けたか否かを判別する。この処理では、増大操作受付部１３６が、ユーザが情報表示部３３のタッチパネル上の二点に接触する操作を受け付け、さらに、その接触した二点間の距離であって、情報表示部３３が表示する情報の配列の方向における距離を伸ばす操作を受け付けたか否かを判別する。この判別がＹＥＳのときは、増大操作受付部１３６は、処理をステップＳ１０８に移し、ＮＯのときは、増大操作受付部１３６は、処理をステップＳ１０９に移す。ステップＳ１０８では、情報表示部３３は、いったん非表示にした情報であっても、表示優先順位の高い表示情報ＩＤから順に表示にすることで、情報表示部３３に表示する情報の量を増大する。
【００６０】
ステップＳ１０９では、制御部３０は、情報受信部３１が情報を受信したか否かを判別する。本実施形態では、第１実施形態と同様に、情報受信部３１は、情報表示部３３での表示とは非同期に、サーバ２にデータを要求するポーリング処理を行うものであり、情報表示部３３での表示と同期する処理、すなわち、サーバ２に対して情報の配信を要求し、サーバ２から情報を受信し、その受信した情報を表示するといった処理を繰り返すものではない。この判別がＹＥＳのときは、制御部３０は、処理をステップＳ１１０に移し、ＮＯのときは、制御部３０は、処理をステップＳ１１１に移す。
【００６１】
ステップＳ１１０では、表示情報スクロール部３２は、次の情報（すなわち、未だ情報表示部３３で表示していない情報のうち受信時刻がより古い情報）を追加して表示し、処理をステップＳ１０４に移す。一方、ステップＳ１１１では、情報表示部３３は、引き続き現在の情報を表示する。
【００６２】
ステップＳ１１２では、制御部３０は、一連の処理を終了するか否かを判別する。この判別がＹＥＳのときは、制御部３０は、一連の処理を終了し、ＮＯのときは、処理をステップＳ１０９に移す。
【００６３】
［第２実施形態に係るシステム１の実施例］
図１１及び図１２は、第２実施形態に係るシステム１、端末１０３、方法及びプログラムを実施したときの時刻と表示内容との関係の一例を示す図である。図１１及び図１２は、いずれも情報受信部３１が図９にしたがって受信したときの時刻と表示内容との関係を示す点で共通するが、図１１は、ユーザが縮減操作を行っていない場合の一例のに対し、図１２は、ユーザが縮減操作を１回行った場合の一例である点で異なる。なお、縮減操作は、端末１０３のタッチパネル形式の画面（図示せず）上の二点に接触し、さらに、その接触した二点間の距離であって、画面で表示する情報の配列の方向における距離を縮める操作である。
【００６４】
まず、図１１について説明する。図１１では、ユーザが縮減操作を行っていないので、受信情報ＩＤの優先順位にかかわらず、全ての情報を、少なくとも表示保証時間以上の間表示する。このように縮減操作が行われなくても、第１実施形態と同様、情報表示部３３が表示する情報のそれぞれについて、その情報の内容を把握するために十分な時間を与え、しかも、できるだけ多くの情報を提供することが可能となる。しかしながら、２０１０年３月２９日１７時３５分３０秒に受信した「今日から「北の大地と」が始まる。」という静止画像付きの情報（以下、「Ｃ１」という。）の表示保証時間である２５秒が経過するまでの間に、次の情報として、「○○ラーメンの画像を見つけました。」という３分動画の情報（以下、「Ｂ１」という。）を受信しており、当該Ｂ１の表示が遅延するという問題が生じている。そして、表示保証時間が経過するまでの間に受信する情報の数が増えるにつれ、遅延の幅がさらに大きくなっている。
【００６５】
次に、図１２について説明する。図１２では、ユーザは、Ｃ１の表示中に縮減操作を１回行っている。
【００６６】
ここでは、第１実施形態と同様に、現在の時刻が２０１０年３月２９日１７時３４分１５秒であり、この時刻において端末１０３が受信情報ＩＤ「Ａ」の「日経平均株価が○○円に回復する勢いです。」という２０文字テキストの情報（以下「Ａ１」という。）を受信し、このＡ１の表示を端末３で開始することを基準に説明する。図３の表示保証時間データベース４２によると、表現態様が「３０文字未満テキスト」であるときの表示保証時間は「２０秒」である。そこで、情報表示部３３は、１７時３４分１５秒に受信したＡ１を、少なくとも１７時３４分１５秒から２０秒間（すなわち、同３５秒まで）表示する。
【００６７】
続いて、時刻が１７時３４分４５秒から２０秒間経過したときについて説明する。制御部３０は、情報１の表示を開始した１７時３４分１５秒から２０秒間の間は、何ら情報を受信せず、その後、１７時３５分３０秒になったときに初めて受信情報ＩＤ「Ｃ」の「今日から、「北の大地と」が始まる。」という静止画像付きの情報（以下「Ｃ１」という。）を受信する。この場合、情報表示部３３は、最低保証時間である２０秒間が経過した後であっても、Ａ１を引き続き表示する。そして、１７時３５分３０秒にＣ１を受信したことに応じて、表示情報スクロール部３２は、Ａ１をスクロールして次の情報であるＣ１を追加して表示する。図３の表示保証時間データベース４２によると、表現態様が「静止画像」であるときの表示保証時間は「２５秒」である。そこで、情報表示部３３は、１７時３５分３０秒に受信したＣ１を、少なくとも１７時３５分３０秒から２５秒間（すなわち、同５５秒まで）表示する。
【００６８】
ところで、Ｃ１を表示している間に、縮減操作受付部１３５は、縮減操作を受け付けている。この場合、情報表示部３３は、表示優先順位が最も低い受信情報ＩＤ「Ｃ」を非表示にすることで情報表示部３３に表示する情報の量を縮減するが、直ちに縮減するのではなく、Ｃ１の最低保証時間が経過したことを受けて縮減する。
【００６９】
また、情報受信部３１は、Ｃ１の表示中である１７時３５分４２秒に受信情報ＩＤ「Ｂ」の「○○ラーメンの画像を見つけました。」という３分動画付きの情報（以下「Ｂ１」という。）を受信しているが、このような場合であっても、表示情報スクロール部３２は、表示保証時間である２５秒が経過するまでは情報のスクロールを行わず、表示保証時間が経過してから情報をスクロールして次に受信した情報を追加して表示する。そのため、１７時３５分４２秒にＢ１を受信していても、Ｃ１の最低保証時間である２５秒が経過したことに応じて、表示情報スクロール部３２は、Ｃ１をスクロールして次の情報であるＢ１を追加して表示する。図３の表示保証時間データベース４２によると、表現態様が「３分動画」であるときの表示保証時間は「３０秒」である。そこで、情報表示部３３は、１７時３５分４２秒に受信したＢ１を、少なくとも同５５秒から３０秒間（すなわち、１７時３６分２５秒まで）表示する。
【００７０】
この３０秒の間に、制御部３０は、受信情報ＩＤ「Ｃ」の「４月からはどのドラマを見ればいいのだろう？・・・」という２５０文字テキストの情報（以下「Ｃ２」という。）及び受信情報ＩＤ「Ａ」の「スカイツリーが東京タワーを超える高さになりました。」という静止画像の情報（以下「Ａ２」という。）を受信しているが、このような場合であっても、表示情報スクロール部３２は、表示保証時間である３０秒が経過するまでは情報のスクロールを行わず、表示保証時間が経過してから情報をスクロールして次に受信した情報を表示する。
【００７１】
ところで、先に述べた通り、縮減操作受付部１３５は、縮減操作を受け付け、これを受け、情報表示部３３は、表示優先順位が最も低い受信情報ＩＤ「Ｃ」を非表示にすることで情報表示部３３に表示する情報の量を縮減している。このように、Ｃ２は非表示になっていることから、表示情報スクロール部３２は、Ｂ１をスクロールして、Ｃ２ではなく、Ａ２の追加表示を行う。
【００７２】
本実施形態では、縮減操作受付部１３５を設けることにより、ユーザにとって表示優先順位の低い情報が短時間に多数配信された場合であっても、表示優先順位の低い情報から順に適宜非表示とし、表示優先順位の高い情報だけを残して表示できるので、速報性の高さを維持しつつ、ユーザに対し、表示優先順位の高い情報を確実に伝えることの可能な端末１０３を提供できる。
【００７３】
また、図示は省略するが、第２実施形態では、ユーザが情報表示部３３のタッチパネル上の二点に接触する操作を受け付け、さらに、その接触した二点間の距離であって、情報表示部３３が表示する情報の配列の方向における距離を伸ばす操作を、情報表示部３３に表示する情報の量の増大指示として受け付ける増大操作受付部１３６をさらに備え、情報表示部は、増大操作受付部１３６が操作を受け付けたことに応じて、情報表示部３３が非表示にした情報であっても、表示優先順位の高い情報から順に表示することで、情報表示部に表示する情報の量を増大する。
【００７４】
このような増大操作受付部１３６を設けることにより、優先順位の高い情報を全て閲覧し、優先順位の低い情報についても詳細に閲覧したい場合、ユーザは、タッチパネル上の二点に接触し、その接触した二点間の距離であって、情報表示部３３が表示する情報の配列の方向における距離を伸ばす操作を行うだけで、増大操作受付部１３６がその操作を受け付け、情報表示部３３は、優先順位の高い順にその情報を表示する。よって、情報を閲覧できる時間等に応じて、優先順位の高い情報だけに絞って閲覧するか、優先順位の低い情報も詳細に見るかを、タッチパネル上の二点に接触し、その接触した二点間の距離の伸縮操作だけで自在に選択可能な端末３を提供できる。
【００７５】
なお、本実施形態に記載された効果は、本発明から生じる最も好適な効果を列挙したに過ぎず、本発明による効果は、本実施形態に記載されたものに限定されるものではない。
【００７６】
［第３実施形態］
以下、本発明の第３実施形態について図を参照しながら説明する。
第３の実施形態も、第２の実施形態と同様に、第１の実施形態が奏する作用効果を維持しつつ、しかも情報の遅延を防止することの可能なシステム１、端末３、方法及びプログラムを提供するものである。
【００７７】
［全体構成］
図１３は、第３実施形態に係るシステム１及び端末３を説明するための全体構成を示す図である。説明の便宜のため、第１実施形態と同一の構成には、同じ符号を付してある。第１実施形態と対比すると、第１に、第３実施形態では、制御部３０に表示優先順位指定操作受付部２３４が設けられ、記憶部４０に表示優先順位データベース２４３が設けられている点で異なる。
第２に、受信情報データベース２４１の構成が異なる。
第３に、表示情報スクロール部２３２の機能が第１実施形態の表示情報スクロール部３２の機能と異なる。
【００７８】
まず、第１の相違点について説明する。表示優先順位指定操作受付部２３４は、第２実施形態の表示優先順位指定操作受付部１３４と略同様の機能を有するものであり、端末３に表示する情報の表示優先順位を指定する操作を受け付け、ここで受け付けた表示優先順位の内容を表示優先順位データベース２４３に記憶する。これら表示優先順位指定操作受付部２３４及び表示優先順位データベース２４３は、表示優先順位指定操作受付手段として機能する。
【００７９】
表示優先順位データベース２４３は、図１５に例示される。表示優先順位データベース２４３は、サーバ２から配信される情報が属するカテゴリを識別するための「カテゴリ」フィールドと、配信された情報を端末３に表示させる優先順位を識別するための「表示優先順位」フィールドとを有する。例えば、ユーザが、優先順位をカテゴリ「Ａ」、「Ｂ」、「Ｃ」の順であると指定したときは、表示優先順位データベース２４３のカテゴリフィールド「Ａ」に対しては１が、「Ｂ」に対しては２が、「Ｃ」に対しては３が記憶される。
【００８０】
次に、第２の相違点について説明する。受信情報データベース２４１は、図１５に例示される。第１実施形態の受信情報データベース４１は、情報を受信した時刻を示す「受信時刻」フィールドと、受信した情報の表現態様を示す「表現態様」フィールドと、受信した情報の内容を示す「内容」フィールドとを有するものであったが、第２実施形態の受信情報データベース１４１は、さらに、受信した情報が属するカテゴリを示す「カテゴリ」フィールドを有する。
【００８１】
図１５の例では、情報受信部３１は、２０１０年３月２９日１７時３４分４５秒に、カテゴリ「Ａ」に属する「日経平均株価が○○円に回復する勢いです。」という２０文字テキストの情報（以下「Ａ１」という。）を受信し、続いて、同３５分３０秒に、カテゴリ「Ｃ」に属する「今日から「北の大地と」が始まる。」という静止画像付きの情報（以下「Ｃ１」という。）を受信している。そして、受信情報データベース２４１には、これらの情報が記憶されている。
【００８２】
最後に、第３の相違点について説明する。第１実施形態の表示情報スクロール部３２は、表示中の情報の最低保証時間が経過すると、どのような情報であっても、情報受信部３１が受信した順に情報を追加表示するものであった。一方、第３実施形態の表示情報スクロール部２３２は、表示中の情報の最低保証時間が経過すると、より表示優先順位の高いカテゴリに属する情報を情報受信部３１が受信するまでの期間に限って、より表示優先順位の低いカテゴリに属する情報を情報受信部３１が受信した順に逐次追加表示する。
【００８３】
例えば、情報表示部３３が一定の情報を表示している間に、情報受信部３１がカテゴリＢに属する情報、カテゴリＣに属する情報、カテゴリＡに属する情報の順に情報を受信した場合について説明する。表示情報スクロール部２３２は、より表示優先順位の高いカテゴリに属する情報を情報受信部３１が受信するまでの期間に限って、より表示優先順位の低いカテゴリに属する情報を情報受信部３１が受信した順に逐次追加表示する。すなわち、表示中の情報の最低保証時間が経過すると、情報受信部３１がカテゴリＢに属する情報及びカテゴリＣに属する情報を先に受信していても、表示情報スクロール部２３２は、最も表示優先順位の高いカテゴリＡに属する情報の追加表示を行う。
【００８４】
［第３実施形態のハードウェア及びソフトウェアの構成］
第３実施形態のハードウェア及びソフトウェアの構成は、第１実施形態と同じであり、サーバ２及び端末３のハードウェアには、制御装置（制御部）としてのＣＰＵの他、記憶装置（記憶部）、通信装置（通信部）、表示装置（表示部）及び入力装置（入力部）が含まれる。また、サーバ２及び端末１０３のソフトウェアには、上記ハードウェアを制御するプログラムやデータが含まれる。
【００８５】
［フローチャート］
図１６は、第３実施形態に係る端末１０３のフローチャートである。
【００８６】
ステップＳ２０１では、表示優先順位指定操作受付部２３４は、情報表示部３３に表示する情報の表示優先順位を指定する操作を受け付ける。この処理で受け付けた内容は、表示優先順位データベース２４３に記憶される。例えば、図１４で例示したように、ユーザが、カテゴリ「Ａ」に属する情報を優先順位「１」と指定し、カテゴリ「Ｂ」に属する情報を優先順位「２」と指定し、カテゴリ「Ｃ」に属する情報を優先順位「３」と指定する場合、表示優先順位指定操作受付部２３４は、この指定の操作を受け付け、表示優先順位データベース２４３に記憶させる。
【００８７】
ステップＳ２０２では、情報受信部３１は、サーバ２の情報配信部１１から配信された情報を受信する。ステップＳ２０３では、情報表示部３３は、情報受信部３１が受信した情報の表示を行う。
【００８８】
ステップＳ２０４では、制御部３０は、表示保証時間データベース４２で定めた表示保証時間が経過したか否かを判別する。この判別がＹＥＳのときは、制御部３０は、処理をステップＳ２０５に移し、ＮＯのときは、ステップＳ２０４の処理を繰り返す。
【００８９】
ステップＳ２０５では、制御部３０は、情報受信部３１がより表示優先順位の高いカテゴリの情報を受信したか否かを判別する。本実施形態では、第１実施形態及び第２実施形態と同様に、情報受信部３１は、情報表示部３３での表示とは非同期に、サーバ２にデータを要求するポーリング処理を行うものであり、情報表示部３３での表示と同期する処理、すなわち、サーバ２に対して情報の配信を要求し、サーバ２から情報を受信し、その受信した情報を表示するといった処理を繰り返すものではない。この判別がＹＥＳのときは、制御部３０は、処理をステップＳ２０６に移し、ＮＯのときは、制御部３０は、処理をステップＳ２０７に移す。
【００９０】
ステップＳ２０６では、表示情報スクロール部２３２は、表示中の情報をスクロールし、より表示優先順位の高いカテゴリに属する情報を追加表示して、処理をステップＳ２０４に移す。
【００９１】
ステップＳ２０７では、制御部３０は、受信情報データベース２４１に記憶された情報のうち、未だ情報表示部３３で表示していない情報があるか否かを判別する。この判別がＹＥＳのときは、制御部３０は、処理をステップＳ２０８に移し、ＮＯのときは、制御部３０は、処理をステップＳ２０９に移す。
【００９２】
ステップＳ２０８では、表示情報スクロール部２３２は、表示中の情報をスクロールし、未だ情報表示部３３で表示していない情報のうち、表示優先順位がより高く、受信時刻がより古い情報を追加して表示する。
【００９３】
ステップＳ２０９では、情報表示部３３は、引き続き現在の情報を表示する。
【００９４】
ステップＳ２１０では、制御部３０は、一連の処理を終了するか否かを判別する。この判別がＹＥＳのときは、制御部３０は、一連の処理を終了し、ＮＯのときは、処理をステップＳ２０５に移す。
【００９５】
［第３実施形態に係るシステム１の実施例］
図１７は、第３実施形態に係るシステム１、端末１０３、方法及びプログラムを実施したときの時刻と表示内容との関係の一例を示す図である。
【００９６】
ここでは、現在の時刻が２０１０年３月２９日１７時３４分１５秒であり、この時刻において端末３がカテゴリＡに属する「日経平均株価が○○円に回復する勢いです。」という２０文字テキストの情報（以下「Ａ１」という。）を受信し、このＡ１の表示を端末３で開始することを基準に説明する。図３の表示保証時間データベース４２によると、表現態様が「３０文字未満テキスト」であるときの表示保証時間は「２０秒」である。そこで、情報表示部３３は、１７時３４分１５秒に受信したＡ１を、少なくとも１７時３４分１５秒から２０秒間（すなわち、同３５秒まで）表示する。
【００９７】
続いて、時刻が１７時３４分４５秒から２０秒間経過したときについて説明する。制御部３０は、Ａ１の表示を開始した１７時３４分１５秒から２０秒間の間は、何ら情報を受信せず、その後、１７時３５分３０秒になったときに初めてカテゴリＣに属する「今日から「北の大地と」が始まる。」という静止画像付きの情報（以下「Ｃ１」という。）を受信する。この場合、情報表示部３３は、最低保証時間である２０秒間が経過した後であっても、Ａ１を引き続き表示する。そして、１７時３５分３０秒にＣ１を受信したことに応じて、表示情報スクロール部３２は、Ａ１をスクロールして次の情報であるＣ１を追加して表示する。図３の表示保証時間データベース４２によると、表現態様が「静止画像」であるときの表示保証時間は「２５秒」である。そこで、情報表示部３３は、１７時３５分３０秒に受信したＣ１を、少なくとも１７時３５分３０秒から２５秒間（すなわち、同５５秒まで）表示する。
【００９８】
情報表示部３３がＣ１を表示する２５秒間の間に、情報受信部３１は、Ｃ１の表示を開始した１７時３５分３０秒から２５秒の間である同４２秒にカテゴリＢに属する「○○ラーメンの画像を見つけました。」という３分動画付きの情報（以下「Ｂ１」という。）を受信している。表示情報スクロール部２３２は、より表示優先順位の高いカテゴリに属する情報を情報受信部３１が受信するまでの期間に限って、より表示優先順位の低いカテゴリに属する情報を情報受信部３１が受信した順に逐次追加表示するが、この追加表示は、最低保証時間の経過を待って行われる。そのため、Ｃ１の表示中に、より表示優先順位の高いＢ１を受信しても、表示情報スクロール部２３２は、直ちに情報の追加表示を行わず、最低保証時間である２５秒の経過を待ってＢ１の追加表示を行う。
【００９９】
図３の表示保証時間データベース４２によると、表現態様が「動画」であるときの表示保証時間は「３０秒」である。そこで、情報表示部３３は、１７時３５分４２秒に受信したＢ１を、少なくとも１７時３５分５５秒から３０秒間（すなわち、１７時３６分２５秒まで）表示する。
【０１００】
続いて、時刻が１７時３５分５５秒から３０秒間経過したときについて説明する。情報表示部３３がＢ１を表示する３０秒間の間に、情報受信部３１は、１７時３６分５秒にカテゴリＣに属する「４月からはどのドラマを見ればいいのだろう？・・・」という２５０文字テキストの情報（以下「Ｃ２」という。）を受信し、同２２秒にカテゴリＡに属する「スカイツリーが東京タワーを超える高さになりました。」という静止画像付きの情報（以下「Ａ２」という。）を受信している。表示情報スクロール部２３２は、Ｂ１をスクロールし、より表示優先順位の高いカテゴリに属する情報を追加表示するので、表示情報スクロール部２３２は、情報受信部３１がＣ２を先に受信していても、Ａ２を追加表示する。そして、Ａ２の追加表示を終えると、表示情報スクロール部２３２は、このＡ２をスクロールしてＣ２の追加表示を行う。
【０１０１】
第３実施形態によると、表示優先順位指定操作受付部２３４は、情報表示部３３に表示する情報が属するカテゴリの表示優先順位を指定する操作を受け付ける。そして、表示情報スクロール部２３２は、最低保証時間が経過したときに情報をスクロールして次に受信した情報を追加表示するが、情報受信部３１が表示優先順位の低いカテゴリに属する情報を先に受信していても、最低保証時間が経過するまでの間に表示優先順位の高いカテゴリに属する情報を受信したときは、この表示優先順位の高いカテゴリに属する情報を追加表示する。これにより、表示優先順位の低いカテゴリに属する情報が短時間に多数配信された場合であっても、表示優先順位が高いカテゴリに属する情報を古い順から漏れなく表示できるので、速報性の高さを維持しつつ、ユーザにとって重要な情報をより確実に表示することの可能なシステム１、端末３、方法及びプログラムを提供することができる。
【０１０２】
なお、本実施形態に記載された効果は、本発明から生じる最も好適な効果を列挙したに過ぎず、本発明による効果は、本実施形態に記載されたものに限定されるものではない。
【符号の説明】
【０１０３】
１  システム
２  サーバ
３  端末
１０  サーバの制御部
１１  情報配信部
３０  端末の制御部
３１  情報受信部
３２  表示情報スクロール部
３３  情報表示部
４０  端末の記憶部
４１  受信情報データベース
４２  表示保証時間データベース
【図１】
2011215863.tif 000003
【図２】
2011215863.tif 000004
【図３】
2011215863.tif 000005
【図４】
2011215863.tif 000006
【図５】
2011215863.tif 000007
【図６】
2011215863.tif 000008
【図７】
2011215863.tif 000009
【図８】
2011215863.tif 000010
【図９】
2011215863.tif 000011
【図１０】
2011215863.tif 000012
【図１１】
2011215863.tif 000013
【図１２】
2011215863.tif 000014
【図１３】
2011215863.tif 000015
【図１４】
2011215863.tif 000016
【図１５】
2011215863.tif 000017
【図１６】
2011215863.tif 000018
【図１７】
2011215863.tif 000019